(57)【特許請求の範囲】
【請求項１】
原稿給紙台にセットした原稿束から１枚ずつ原稿を分離して所定の読み取り位置に搬送する自動原稿送り装置において、
前記原稿給紙台上の原稿を検知する原稿検知センサを備え、
該原稿検知センサが発光部と受光部を有する反射型光センサであり、該原稿検知センサが前記原稿給紙台の下方又は内部から検知孔を介して原稿を検知するよう構成され、
前記検知孔は、前記原稿検知センサの前記発光部に対応する発光側部分と前記受光部に対応する受光側部分とで平面形状が異なるように設けられ、さらに、前記受光部の上方に斜面状に張り出した遮光部を設けたことを特徴とする自動原稿送り装置。
【請求項２】
前記検知孔は、前記受光側部分が前記発光側部分よりも面積が小さいことを特徴とする、請求項１に記載の自動原稿送り装置。
【請求項３】
前記検知孔は、前記発光側部分の平面形状が略円形で、前記受光側部分の平面形状が三角形であることを特徴とする、請求項１又は２に記載の自動原稿送り装置。
【請求項４】
前記検知孔は、前記発光側部分の平面形状が略円形で、前記受光側部分の平面形状が先端を受光側に向けた楔形であることを特徴とする、請求項１又は２に記載の自動原稿送り装置。
【請求項５】
前記検知孔は、前記発光側部分の平面形状が略円形で、前記受光側部分の平面形状が四角形であることを特徴とする、請求項１又は２に記載の自動原稿送り装置。
【請求項６】
前記検知孔は、前記発光側部分の平面形状が略円形で、前記受光側部分の平面形状が原稿送り方向に細長い長方形であることを特徴とする、請求項１又は２に記載の自動原稿送り装置。
【請求項７】
前記検知孔は、前記発光側部分の平面形状が四角形で、前記受光側部分の平面形状が略円形であることを特徴とする、請求項１又は２に記載の自動原稿送り装置。
【請求項８】
前記検知孔は、前記発光側部分の平面形状が原稿送り方向に細長い長方形で、前記受光側部分の平面形状が略円形であることを特徴とする、請求項１又は２に記載の自動原稿送り装置。
【請求項９】
前記検知孔は、前記発光側部分の平面形状が四角形で、前記受光側部分の平面形状が三角形であることを特徴とする、請求項１又は２に記載の自動原稿送り装置。
【請求項１０】
前記検知孔は、前記発光側部分の平面形状が四角形で、前記受光側部分の平面形状が先端を受光側に向けた楔形であることを特徴とする、請求項１又は２に記載の自動原稿送り装置。
【請求項１１】
前記検知孔は、前記発光側部分及び前記受光側部分の平面形状が四角形であり、前記受光側部分の面積が前記発光側部分よりも小さいことを特徴とする、請求項１又は２に記載の自動原稿送り装置。
【請求項１２】
前記検知孔は、前記発光側部分の平面形状が四角形で、前記受光側部分の平面形状が原稿送り方向に細長い長方形であることを特徴とする、請求項１又は２に記載の自動原稿送り装置。
【請求項１３】
前記検知孔は、前記発光側部分の平面形状が原稿送り方向に細長い長方形で、前記受光側部分の平面形状が三角形であることを特徴とする、請求項１又は２に記載の自動原稿送り装置。
【請求項１４】
前記検知孔は、前記発光側部分の平面形状が原稿送り方向に細長い長方形で、前記受光側部分の平面形状が先端を受光側に向けた楔形であることを特徴とする、請求項１又は２に記載の自動原稿送り装置。
【請求項１５】
前記検知孔は、前記発光側部分の平面形状が原稿送り方向に細長い長方形で、前記受光側部分の平面形状が四角形であることを特徴とする、請求項１又は２に記載の自動原稿送り装置。
【請求項１６】
前記検知孔は、前記発光側部分及び前記受光側部分の平面形状が原稿送り方向に細長い長方形であり、前記受光側部分の面積が前記発光側部分よりも小さいことを特徴とする、請求項１又は２に記載の自動原稿送り装置。
【請求項１７】
前記検知孔は、前記発光側部分及び前記受光側部分の平面形状が略円形であり、前記受光側部分の面積が前記発光側部分よりも小さいことを特徴とする、請求項１又は２に記載の自動原稿送り装置。
【請求項１８】
前記検知孔は、前記発光側部分の端部壁面が前記受光側部分の側に傾いた斜面として設けられていることを特徴とする、請求項１〜１７のいずれか１項に記載の自動原稿送り装置。
【請求項１９】
前記原稿検知センサは、前記発光部及び前記受光部の側面が斜面として形成されていることを特徴とする、請求項１〜１８のいずれか１項に記載の自動原稿送り装置。
【請求項２０】
請求項１〜１９のいずれか１項に記載の自動原稿送り装置を備えることを特徴とする画像読取装置。
【請求項２１】
請求項１〜１９のいずれか１項に記載の自動原稿送り装置または請求項２０に記載の画像読取装置を備えることを特徴とする画像形成装置。
【発明の詳細な説明】
【技術分野】
【０００１】
本発明は、画像読取装置に装着されて原稿を搬送する自動原稿送り装置に関するものである。
【背景技術】
【０００２】
原稿画像を読み取る画像読取装置は周知であり、スキャナあるいは画像形成装置に備えられた画像読取部などとして広く用いられている。また、その画像読取装置に装着されて原稿を読み取り位置に搬送する自動原稿送り装置（ＡＤＦ）も周知である。
【０００３】
特開２００２−２５１０５６号公報（特許文献１）、特許第３８７７６９９号公報（特許文献２）、特開平１０−２９３３６６号公報（特許文献３）等には、ＡＤＦを備えた画像形成装置が記載されている。
【０００４】
また一般に、自動原稿送り装置は、原稿給紙台にセットされた原稿を検知する原稿検知手段（原稿検知センサ）を備えている。原稿検知手段としては反射型光センサが広く用いられており、例えば特開平９−３２９８４８号公報（特許文献４）には、原稿検知手段２０を構成する原稿サイズ検知センサ２１〜２４として、発光素子と受光素子を有する反射型光センサを用いることが記載されている（段落００１８、図３）。
【発明の概要】
【発明が解決しようとする課題】
【０００５】
自動原稿送り装置の原稿給紙台における原稿検知手段として発光部と受光部を有する反射型光センサを用いた場合、装置本体上部からの照明などの外乱光がセンサ受光部に直接入射して誤検知が発生する場合がある。
【０００６】
センサの誤作動防止に関しては、例えば特開昭５８−２１５７６号公報（特許文献５）や特開昭６３−１３６４３１号公報（特許文献６）に記載があるが、これら従来の技術では、自動原稿送り装置の原稿給紙台における外乱光による原稿検知エラーを有効に防止することができないという問題があった。
【０００７】
また、上記特許文献３に記載された原稿分離搬送装置では可動式の遮蔽部材２２を設けて外乱光を遮蔽するように構成しているが、構成が複雑となり部品点数も増加するため、コストの上昇は免れない。
【０００８】
本発明は、従来の自動原稿送り装置における上述の問題を解決し、原稿側より反射された光以外の外乱光の影響を防いで原稿の誤検知を防止することのできる自動原稿送り装置及びこれを備える画像読取装置ならびに画像形成装置を提供することを課題とする。
【課題を解決するための手段】
【０００９】
前記の課題は、本発明により、原稿給紙台にセットした原稿束から１枚ずつ原稿を分離して所定の読み取り位置に搬送する自動原稿送り装置において、前記原稿給紙台上の原稿を検知する原稿検知センサを備え、該原稿検知センサが発光部と受光部を有する反射型光センサであり、該原稿検知センサが前記原稿給紙台の下方又は内部から検知孔を介して原稿を検知するよう構成され、前記検知孔は、前記原稿検知センサの前記発光部に対応する発光側部分と前記受光部に対応する受光側部分とで平面形状が異なるように設けられ、さらに、前記受光部の上方に斜面状に張り出した遮光部を設けたことにより解決される。
【００１０】
また、前記検知孔は、前記受光側部分が前記発光側部分よりも面積が小さいと好ましい。
また、前記検知孔は、前記発光側部分の平面形状が略円形で、前記受光側部分の平面形状が三角形であると好ましい。
【００１１】
また、前記検知孔は、前記発光側部分の平面形状が略円形で、前記受光側部分の平面形状が先端を受光側に向けた楔形であると好ましい。
また、前記検知孔は、前記発光側部分の平面形状が略円形で、前記受光側部分の平面形状が四角形であると好ましい。
【００１２】
また、前記検知孔は、前記発光側部分の平面形状が略円形で、前記受光側部分の平面形状が原稿送り方向に細長い長方形であると好ましい。
また、前記検知孔は、前記発光側部分の平面形状が四角形で、前記受光側部分の平面形状が略円形であると好ましい。
【００１３】
また、前記検知孔は、前記発光側部分の平面形状が原稿送り方向に細長い長方形で、前記受光側部分の平面形状が略円形であると好ましい。
また、前記検知孔は、前記発光側部分の平面形状が四角形で、前記受光側部分の平面形状が三角形であると好ましい。
【００１４】
また、前記検知孔は、前記発光側部分の平面形状が四角形で、前記受光側部分の平面形状が先端を受光側に向けた楔形であると好ましい。
また、前記検知孔は、前記発光側部分及び前記受光側部分の平面形状が四角形であり、前記受光側部分の面積が前記発光側部分よりも小さいと好ましい。
【００１５】
また、前記検知孔は、前記発光側部分の平面形状が四角形で、前記受光側部分の平面形状が原稿送り方向に細長い長方形であると好ましい。
また、前記検知孔は、前記発光側部分の平面形状が原稿送り方向に細長い長方形で、前記受光側部分の平面形状が三角形であると好ましい。
【００１６】
また、前記検知孔は、前記発光側部分の平面形状が原稿送り方向に細長い長方形で、前記受光側部分の平面形状が先端を受光側に向けた楔形であると好ましい。
また、前記検知孔は、前記発光側部分の平面形状が原稿送り方向に細長い長方形で、前記受光側部分の平面形状が四角形であると好ましい。
【００１７】
また、前記検知孔は、前記発光側部分及び前記受光側部分の平面形状が原稿送り方向に細長い長方形であり、前記受光側部分の面積が前記発光側部分よりも小さいと好ましい。
【００１８】
また、前記検知孔は、前記発光側部分及び前記受光側部分の平面形状が略円形であり、前記受光側部分の面積が前記発光側部分よりも小さいと好ましい。
また、前記検知孔は、前記発光側部分の端部壁面が前記受光側部分の側に傾いた斜面として設けられていると好ましい。
【００１９】
また、前記原稿検知センサは、前記発光部及び前記受光部の側面が斜面として形成されていると好ましい。
また、前記の課題は、本発明により、請求項１〜１９のいずれか１項に記載の自動原稿送り装置を備える画像読取装置により解決される。
【００２０】
また、前記の課題は、本発明により、請求項１〜１９のいずれか１項に記載の自動原稿送り装置または請求項２０に記載の画像読取装置を備える画像形成装置により解決される。
【発明の効果】
【００２１】
本発明の自動原稿送り装置、画像読取装置、画像形成装置によれば、検知孔の発光側部分と受光側部分とで平面形状が異なるように設けられ、さらに、センサの受光部の上方に斜面状に張り出した遮光部を設けたことにより、原稿によって反射されたセンサ光以外の外乱光がセンサ受光部に受光されることを防止でき、外乱光による原稿検知エラーを効果的に防止することができる。
【００２２】
請求項２の構成により、原稿によって反射されたセンサ光以外の外乱光がセンサ受光部に受光されることを防止できる。
請求項３の構成により、原稿によって反射されたセンサ光以外の外乱光がセンサ受光部に受光されることを防止できる。特に、原稿給紙方向に直交する方向の両側からの周囲光および原稿給紙方向の後ろ側からの周囲光の影響を有効に防止することができる。
【００２３】
請求項４の構成により、原稿によって反射されたセンサ光以外の外乱光がセンサ受光部に受光されることを防止できる。特に、原稿給紙方向に直交する方向の両側からの周囲光が原稿給紙方向の後ろ側からの周囲光よりも強い場合における周囲光の影響を有効に防止することができる。
【００２４】
請求項５の構成により、原稿によって反射されたセンサ光以外の外乱光がセンサ受光部に受光されることを防止できる。特に、原稿給紙方向に直交する方向の両側と原稿給紙方向の後ろ側からの均等な周囲光の影響を有効に防止することができる。
【００２５】
請求項６の構成により、原稿によって反射されたセンサ光以外の外乱光がセンサ受光部に受光されることを防止できる。特に、原稿給紙方向に直交する方向の両側の周囲光が原稿給紙方向の後ろ側の周囲光よりもやや強い場合における周囲光の影響を有効に防止することができる。
【００２６】
請求項７の構成により、原稿によって反射されたセンサ光以外の外乱光がセンサ受光部に受光されることを防止できる。特に、全方位からの周囲光の影響を有効に防止することができる。
【００２７】
請求項８の構成により、原稿によって反射されたセンサ光以外の外乱光がセンサ受光部に受光されることを防止できる。特に、全方位からの周囲光の影響を有効に防止することができる。
【００２８】
請求項９の構成により、原稿によって反射されたセンサ光以外の外乱光がセンサ受光部に受光されることを防止できる。特に、原稿給紙方向に直交する方向の両側からの周囲光および原稿給紙方向の後ろ側からの周囲光の影響を有効に防止することができる。
【００２９】
請求項１０の構成により、原稿によって反射されたセンサ光以外の外乱光がセンサ受光部に受光されることを防止できる。特に、原稿給紙方向に直交する方向の両側からの周囲光が原稿給紙方向の後ろ側からの周囲光よりも強い場合における周囲光の影響を有効に防止することができる。
【００３０】
請求項１１の構成により、原稿によって反射されたセンサ光以外の外乱光がセンサ受光部に受光されることを防止できる。特に、原稿給紙方向に直交する方向の両側と原稿給紙方向の後ろ側の均等な周囲光の影響を有効に防止することができる。
【００３１】
請求項１２の構成により、原稿によって反射されたセンサ光以外の外乱光がセンサ受光部に受光されることを防止できる。特に、原稿給紙方向に直交する方向の両側からの周囲光が原稿給紙方向の後ろ側からの周囲光よりもやや強い場合における周囲光の影響を有効に防止することができる。
【００３２】
請求項１３の構成により、原稿によって反射されたセンサ光以外の外乱光がセンサ受光部に受光されることを防止できる。特に、原稿給紙方向に直交する方向の両側からの周囲光および原稿給紙方向の後ろ側からの周囲光の影響を有効に防止することができる。
【００３３】
請求項１４の構成により、原稿によって反射されたセンサ光以外の外乱光がセンサ受光部に受光されることを防止できる。特に、原稿給紙方向に直交する方向の両側からの周囲光が原稿給紙方向の後ろ側からの周囲光よりも強い場合における周囲光の影響を有効に防止することができる。
【００３４】
請求項１５の構成により、原稿によって反射されたセンサ光以外の外乱光がセンサ受光部に受光されることを防止できる。特に、原稿給紙方向に直交する方向の両側と原稿給紙方向の後ろ側の均等な周囲光の影響を有効に防止することができる。
【００３５】
請求項１６の構成により、原稿によって反射されたセンサ光以外の外乱光がセンサ受光部に受光されることを防止できる。特に、原稿給紙方向に直交する方向の両側からの周囲光が原稿給紙方向の後ろ側からの周囲光よりもやや強い場合における周囲光の影響を有効に防止することができる。
【００３６】
請求項１７の構成により、原稿によって反射されたセンサ光以外の外乱光がセンサ受光部に受光されることを防止できる。特に、原稿給紙方向に直交する方向の両側と原稿給紙方向の後ろ側の円周上からの均等な周囲光の影響を有効に防止することができる。
【００３７】
請求項１８の構成により、検知孔の発光側部分の端部壁面が受光側部分の側に傾いた斜面として設けられているので、センサ発光部の光を原稿側へ効率良く照射し、原稿に反射された光をセンサ受光部で受光することができる。
【００３８】
請求項１９の構成により、原稿検知センサの発光部及び受光部の側面が斜面として形成されているので、センサ発光部の光を原稿側へ効率良く照射し、原稿に反射された光をセンサ受光部で効率よく受光することができる。
【図面の簡単な説明】
【００３９】
【図１】本発明に係る自動原稿送り装置の一例であるシートスルー式ＡＤＦの構成を示す断面図である。
【図２】その自動原稿送り装置を備えた画像形成装置の一部を示す部分外観図である。
【図３】原稿検知センサに対する外乱光防止構成の第１実施例を示す模式図である。
【図４】センサ発光部から出た光が受光部に受光される様子を示す模式図である。
【図５】原稿検知センサに対する外乱光防止構成の第２実施例を示す模式図である。
【図６】原稿検知センサに対する外乱光防止構成の第３実施例を示す模式図である。
【図７】原稿検知センサに対する外乱光防止構成の第４実施例を示す模式図である。
【図８】原稿検知センサに対する外乱光防止構成の第５実施例を示す模式図である。
【図９】原稿検知センサに対する外乱光防止構成の第６実施例を示す模式図である。
【図１０】原稿検知センサに対する外乱光防止構成の第７実施例を示す模式図である。
【図１１】原稿検知センサに対する外乱光防止構成の第８実施例を示す模式図である。
【図１２】原稿検知センサに対する外乱光防止構成の第９実施例を示す模式図である。
【図１３】原稿検知センサに対する外乱光防止構成の第１０実施例を示す模式図である。
【図１４】原稿検知センサに対する外乱光防止構成の第１１実施例を示す模式図である。
【図１５】原稿検知センサに対する外乱光防止構成の第１２実施例を示す模式図である。
【図１６】原稿検知センサに対する外乱光防止構成の第１３実施例を示す模式図である。
【図１７】原稿検知センサに対する外乱光防止構成の第１４実施例を示す模式図である。
【図１８】原稿検知センサに対する外乱光防止構成の第１５実施例を示す模式図である。
【図１９】原稿検知センサに対する外乱光防止構成の第１６実施例を示す模式図である。
【図２０】原稿検知センサに対する外乱光防止構成の第１７実施例を示す模式図である。
【図２１】原稿検知センサに対する外乱光防止構成の第１８実施例を示す模式図である。
【図２２】第１８実施例における検知孔を示す断面図である。
【図２３】原稿検知センサに対する外乱光防止構成の第１９実施例を示す模式図である。
【発明を実施するための形態】
【００４０】
以下、本発明の実施の形態を図面に基づいて説明する。
図１は、本発明に係る自動原稿送り装置の一例であるシートスルー式ＡＤＦの構成を示す断面図である。本実施形態のシートスルー式ＡＤＦ１は、被読取原稿束をセットする原稿セット部Ａ、セットされた原稿束から一枚ずつ原稿を分離して給送する分離給送部Ｂ、給送された原稿を一旦突当てて整合する働きと、整合後の原稿を引き出し搬送する働きのレジスト部Ｃ、搬送される原稿をターンさせて、原稿面を読取り側（下方）に向けて搬送するターン部Ｄ、原稿の表面画像を、コンタクトガラスの下方より読取を行わせる第一読取搬送部Ｅ、読取後の原稿の裏面画像を読みとらせる第二読取搬送部Ｆ、表裏の読取が完了した原稿を機外に排出する排紙部Ｇ、読取完了後の原稿を積載保持するスタック部Ｈから構成されている。
【００４１】
原稿束Ｐは、可動原稿テーブル３を含む原稿テーブル２上にセットされる。本例では原稿面を上向きの状態でセットする。原稿テーブル２には図示しないサイドガイドが設けられており、原稿束Ｐの幅方向をサイドガイドによって搬送方向と直交する方向の位置決めを行う。原稿のセットはセットフィラー４，セットセンサ５により検知される。さらに、原稿テーブル２には、テーブル上にセットされた原稿を検知する（原稿サイズを判定するための）原稿検知センサ６が設けられている。本実施形態では、原稿検知センサ６として６１〜６３の３つのセンサを備えている。
【００４２】
可動原稿テーブル３は底板上昇モータにより図１に示すａ，ｂ方向に上下動可能な構成になっており、原稿がセットされたことを前記セットフィラー４及びセットセンサ５により検知すると、底板上昇モータを正転させて原稿束Ｐの最上面がピックアップローラ７と接触するように可動原稿テーブル３を上昇させる。
【００４３】
本体制御部から原稿給紙信号が送信されると、ピックアップローラ７は給紙モータの正転によりコロが回転駆動し、原稿テーブル２上の数枚（理想的には１枚）の原稿をピックアップする。回転方向は、最上位の原稿を給紙口に搬送する方向である。給紙ベルト９は給紙モータの正転により給紙方向に駆動され、リバースローラ１０は給紙モータの正転により給紙と逆方向に回転駆動され、最上位の原稿とその下の原稿を分離して、最上位の原稿のみを給紙できる構成となっている。
【００４４】
給紙ベルト９とリバースローラ１０との作用により１枚に分離された原稿は給紙ベルト９によって更に送られ、突き当てセンサ１１によって先端が検知され更に進んで停止しているプルアウトローラ１２に突き当たる、その後、前出の突き当てセンサ１１の検知から所定量定められた距離送られ、結果的には、プルアウトローラ１２に所定量の撓みを持って押し当てられた状態で給紙モータを停止させることにより、給紙ベルト９の駆動が停止する。プルアウトローラ１２はスキュー補正機能を有するとともに、分離後にスキュー補正された原稿を中間ローラ１４まで搬送するためのローラで、給紙モータの逆転により駆動される。またこの時（給紙モータ逆転時）、プルアウトローラ１２と中間ローラ１４は駆動されるが、ピックアップローラ７と給紙ベルト９は駆動されていない。
【００４５】
原稿幅センサ１３は奥行き方向に複数個並べられ、プルアウトローラ１２により搬送された原稿の搬送方向に直行する幅方向のサイズを検知する。また、原稿の搬送方向の長さは原稿の先端後端を突き当てセンサ１１で読み取ることによりモータパルスから原稿の長さを検知する。
【００４６】
プルアウトローラ１２及び中間ローラ１４の駆動によりレジスト部Ｃからターン部Ｄに原稿が搬送される際には、レジスト部Ｃでの搬送速度を読取搬送部Ｅでの搬送速度よりも高速に設定して原稿を読取部へ送り込む処理時間の短縮が図られている。
【００４７】
原稿先端が読取入口センサ１５により検出されると、読取入口ローラ１６の上下ローラ対のニップに原稿先端が進入する前に、原稿搬送速度を読取搬送速度と同速にするために減速を開始すると同時に、読取モータを正転駆動して読取入口ローラ１６、読取出口ローラ２３、ＣＩＳ出口ローラ２７を駆動する。原稿の先端をレジストセンサ１７にて検知すると、所定の搬送距離をかけて減速し、読取位置２０の手前で一時停止するとともに、本体制御部にレジスト停止信号を送信する。続いて本体制御部より読取り開始信号を受信すると、レジスト停止していた原稿は、読取位置に原稿先端が到達するまでに所定の搬送速度に立上がるように増速されて搬送される。
【００４８】
片面原稿読取りの場合には、読取搬送部Ｅを通過した原稿は第二読取り部Ｆを経て排紙部Ｇへ搬送される。この際、排紙センサ２４により原稿の先端を検知すると、排紙モータを正転駆動して排紙ローラ２８を反時計方向に回転させる。また、排紙センサ２４による原稿の先端検知からの排紙モータのパルスカウントにより、原稿後端が排紙ローラ２８の上下ローラ対のニップから抜ける直前に排紙モータ駆動速度を減速させて、排紙トレイ２９上に排出される原稿が飛び出さない様に制御される。
【００４９】
両面原稿読取りの場合には、排紙センサ２４にて原稿先端を検知してから読取モータのパルスカウントにより第２画像読取手段２５に原稿先端が到達するタイミングで第２画像読取手段２５に対して副走査方向の有効画像領域を示すゲート信号が読取部を原稿後端が抜けるまで送信される。第２読取ローラ２６は第二読取部における原稿の浮きを抑えると同時に、第二読取部におけるシェーディングデータを取得する為の基準白部を兼ねるものである。
【００５０】
図２は、上記のように構成された自動原稿送り装置１を備えた画像形成装置の一部を示す部分外観図である。画像形成装置本体１００の最上部には画像読取部１０１が設けられ、その上にＡＤＦ１が装着されている。また、ＡＤＦ１手前の画像形成装置本体１００の上面には操作部１０２が設けられる。
【００５１】
図２から分かるように、ＡＤＦ１の原稿テーブル２は上方が開放されているため、原稿テーブル２上にセットされた原稿を検知するための原稿検知センサ６には、部屋の照明などの光が入りやすい。そのため、従来の装置では、照明光などの外乱光により原稿検知センサが誤検知を起こし、原稿検知エラーが発生するという問題があった。そこで、本発明の自動原稿送り装置では、以下に説明するような、外乱光の影響を防止する構成を備えている。
【００５２】
図３は、原稿テーブル２の原稿検知センサ６に対する外乱光防止構成の第１実施例を示す模式図である。なお、上記したように、本実施形態では原稿検知センサ６として６１〜６３の３つのセンサを備えているが、各センサに対しては同じ外乱光防止構成を適用できるため、以下では、原稿検知センサ６として説明する。
【００５３】
図３に示すように、原稿テーブル２の内部（原稿テーブル２の表板の下側）に原稿検知センサ６が配置されている。原稿検知センサ６の上部の原稿テーブル２には、センサ光を通過させる（原稿下面に照射させる）ための絞り（検知孔）１８が設けられている。そして、図４に示すように、原稿検知センサ６の発光部６ａから出射されたセンサ光は、検知孔１８を介して原稿Ｐの下面に反射してセンサの受光部６ｂに至り、受光部６ｂで受光される。原稿がテーブル２上に無い場合は、発光部６ａから出た光は原稿によって反射されないため、受光部６ｂで受光されない。
【００５４】
図３（ａ）の平面図から分かるように、本例の原稿検知センサ６の発光部６ａ及び受光部６ｂは共に円形の平面形状を有している。一方、検知孔１８は、センサ発光部６ａに対応する発光側部分１８ａの平面形状とセンサ受光部６ｂに対応する受光側部分１８ｂの平面形状とが異なる形状に設けられる。本第実施例では、検知孔１８の発光側部分１８ａの平面形状は略円形であり、センサ受光部６ｂに対応する受光側部分１８ｂの平面形状は四角形となっている。
【００５５】
さらに、図３（ｂ）の側断面図から分かるように、検知孔１８の発光側部分１８ａは原稿テーブル２を貫通して開口しているが、受光側部分１８ｂは原稿テーブル２を貫通しておらず、遮光部５によって遮られている。この遮光部５は、図４に示すように、センサ発光部６ａから出て原稿Ｐによって反射された光をセンサ受光部６ｂで受光可能なように、センサ受光部６ｂに対面する側を傾斜面として形成されている。したがって、検知孔１８の断面形状は台形形状となっている。
【００５６】
また、上記のように受光側部分１８ｂは原稿テーブル２を貫通していないため、図３（ａ）の平面図では受光側部分１８ｂを点線で示してある。この点線で示された受光側部分１８ｂの平面形状は、受光側部分１８ｂの孔底部の平面形状もしくは平面への投影形状である。なお、図３（ａ）の平面図では、原稿テーブル２の下にあるセンサ受光部６ｂも点線で示してある。
【００５７】
このように、原稿検知センサ６の上部に設けた検知孔１８を、発光側部分１８ａと受光側部分１８ｂとで平面形状が異なるように設け、さらに、センサ受光部６ｂに対面する側を傾斜面として形成した（受光部６ｂの上方に斜面状に張り出した）遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。なお、本例では遮光部５は原稿テーブル２の一部として構成したが、遮光部５を、原稿テーブル２とは別体で（別部材で）構成することも可能である。
【００５８】
図５は、原稿テーブル２の原稿検知センサ６に対する外乱光防止構成の第２実施例を示す模式図である。図３の第１実施例とは基本的な構成は同じであるため、重複する説明は省略し、異なる部分について説明する。
【００５９】
図５（ａ）の平面図から分かるように、検知孔２８は、発光側部分２８ａと受光側部分２８ｂとで平面形状が異なっており、本第２実施例では受光側部分２８ｂが発光側部分２８ａよりも小さく（平面形状における面積が小さく）なっている。また、図５（ｂ）に示すように受光側部分２８ｂの上方には第１実施例と同じく遮光部５が設けられている。
【００６０】
このように、原稿検知センサ６の上部に設けた検知孔２８を、受光側部分２８ｂを発光側部分２８ａよりも小さく設け、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。
【００６１】
図６は、原稿テーブル２の原稿検知センサ６に対する外乱光防止構成の第３実施例を示す模式図である。図３の第１実施例とは基本的な構成は同じであるため、重複する説明は省略し、異なる部分について説明する。
【００６２】
図６（ａ）の平面図から分かるように、検知孔３８は、発光側部分３８ａと受光側部分３８ｂとで平面形状が異なっており、本第３実施例では、発光側部分３８ａの平面形状は略円形であり、受光側部分３８ｂの平面形状は三角形となっている。受光側部分３８ｂの三角形は、一辺を発光側に向け、頂点を反対側に向けた２等辺三角形となっている（正三角形を含む）。また、図６（ｂ）に示すように受光側部分３８ｂの上方には第１実施例と同じく遮光部５が設けられている。
【００６３】
このように、原稿検知センサ６の上部に設けた検知孔３８を、発光側部分３８ａの平面形状を略円形に受光側部分３８ｂの平面形状を三角形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第３実施例では、検知孔３８の上記形状により、原稿給紙方向（図６の右から左方向）に直交する方向の両側からの周囲光（図２の原稿テーブル２において、装置前面側からの光と装置奥側からの光）、および、原稿給紙方向の後ろ側からの周囲光（図２の原稿テーブル２において、装置右側面方向からの光）の影響を有効に防止することができる。
【００６４】
図７は、原稿テーブル２の原稿検知センサ６に対する外乱光防止構成の第４実施例を示す模式図である。図３の第１実施例とは基本的な構成は同じであるため、重複する説明は省略し、異なる部分について説明する。
【００６５】
図７（ａ）の平面図から分かるように、検知孔４８は、発光側部分４８ａと受光側部分４８ｂとで平面形状が異なっており、本第４実施例では、発光側部分４８ａの平面形状は略円形であり、受光側部分４８ｂの平面形状は楔形となっている。受光側部分４８ｂの楔形は、先端を受光側に向けた形状（本例では、一辺を発光側に向け、頂点を反対側に向けた直角三角形）となっている。また、図７（ｂ）に示すように受光側部分４８ｂの上方には第１実施例と同じく遮光部５が設けられている。
【００６６】
このように、原稿検知センサ６の上部に設けた検知孔４８を、発光側部分４８ａの平面形状を略円形に受光側部分４８ｂの平面形状を楔形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第４実施例では、検知孔４８の上記形状により、原稿給紙方向に直交する方向の両側からの周囲光が原稿給紙方向の後ろ側からの周囲光よりも強い場合における周囲光の影響を有効に防止することができる。
【００６７】
図８は、原稿テーブル２の原稿検知センサ６に対する外乱光防止構成の第５実施例を示す模式図である。図３の第１実施例とは基本的な構成は同じであるため、重複する説明は省略し、異なる部分について説明する。
【００６８】
図８（ａ）の平面図から分かるように、検知孔５８は、発光側部分５８ａと受光側部分５８ｂとで平面形状が異なっており、本第５実施例では、発光側部分５８ａの平面形状は略円形であり、受光側部分５８ｂの平面形状は四角形（正方形）となっている。また、図８（ｂ）に示すように受光側部分５８ｂの上方には第１実施例と同じく遮光部５が設けられている。
【００６９】
このように、原稿検知センサ６の上部に設けた検知孔５８を、発光側部分５８ａの平面形状を略円形に受光側部分５８ｂの平面形状を四角形（正方形）とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第５実施例では、検知孔５８の上記形状により、原稿給紙方向に直交する方向の両側と原稿給紙方向の後ろ側からの均等な周囲光の影響を有効に防止することができる。
【００７０】
図９は、原稿テーブル２の原稿検知センサ６に対する外乱光防止構成の第６実施例を示す模式図である。図３の第１実施例とは基本的な構成は同じであるため、重複する説明は省略し、異なる部分について説明する。
【００７１】
図９（ａ）の平面図から分かるように、検知孔６８は、発光側部分６８ａと受光側部分６８ｂとで平面形状が異なっており、本第６実施例では、発光側部分６８ａの平面形状は略円形であり、受光側部分６８ｂの平面形状は長方形（原稿送り方向に細長い長方形）となっている。また、図９（ｂ）に示すように受光側部分５８ｂの上方には第１実施例と同じく遮光部５が設けられている。
【００７２】
このように、原稿検知センサ６の上部に設けた検知孔６８を、発光側部分６８ａの平面形状を略円形に受光側部分６８ｂの平面形状を四角形（長方形）とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第６実施例では、検知孔６８の上記形状により、原稿給紙方向に直交する方向の両側の周囲光が原稿給紙方向の後ろ側の周囲光よりもやや強い場合における周囲光の影響を有効に防止することができる。
【００７３】
図１０は、原稿テーブル２の原稿検知センサ６に対する外乱光防止構成の第７実施例を示す模式図である。図３の第１実施例とは基本的な構成は同じであるため、重複する説明は省略し、異なる部分について説明する。
【００７４】
図１０（ａ）の平面図から分かるように、検知孔７８は、発光側部分７８ａと受光側部分７８ｂとで平面形状が異なっており、本第７実施例では、発光側部分７８ａの平面形状は四角形（正方形）であり、受光側部分７８ｂの平面形状は略円形となっている。また、図１０（ｂ）に示すように受光側部分７８ｂの上方には第１実施例と同じく遮光部５が設けられている。
【００７５】
このように、原稿検知センサ６の上部に設けた検知孔７８を、発光側部分７８ａの平面形状を四角形（正方形）に受光側部分７８ｂの平面形状を略円形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第７実施例では、検知孔７８の上記形状により、全方位からの周囲光の影響を有効に防止することができる。
【００７６】
図１１は、原稿テーブル２の原稿検知センサ６に対する外乱光防止構成の第８実施例を示す模式図である。図３の第１実施例とは基本的な構成は同じであるため、重複する説明は省略し、異なる部分について説明する。
【００７７】
図１１（ａ）の平面図から分かるように、検知孔８８は、発光側部分８８ａと受光側部分８８ｂとで平面形状が異なっており、本第８実施例では、発光側部分８８ａの平面形状は長方形（原稿送り方向に細長い長方形）であり、受光側部分８８ｂの平面形状は略円形となっている。また、図１１（ｂ）に示すように受光側部分８８ｂの上方には第１実施例と同じく遮光部５が設けられている。
【００７８】
このように、原稿検知センサ６の上部に設けた検知孔８８を、発光側部分８８ａの平面形状を四角形（長方形）に受光側部分８８ｂの平面形状を略円形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第８実施例では、検知孔８８の上記形状により、全方位からの周囲光の影響を有効に防止することができる。
【００７９】
図１２は、原稿テーブル２の原稿検知センサ６に対する外乱光防止構成の第９実施例を示す模式図である。図３の第１実施例とは基本的な構成は同じであるため、重複する説明は省略し、異なる部分について説明する。
【００８０】
図１２（ａ）の平面図から分かるように、検知孔９８は、発光側部分９８ａと受光側部分９８ｂとで平面形状が異なっており、本第９実施例では、発光側部分９８ａの平面形状は四角形（正方形）であり、受光側部分９８ｂの平面形状は三角形となっている。受光側部分９８ｂの三角形は、一辺を発光側に向け、頂点を反対側に向けた２等辺三角形となっている（正三角形を含む）。また、図１２（ｂ）に示すように受光側部分９８ｂの上方には第１実施例と同じく遮光部５が設けられている。
【００８１】
このように、原稿検知センサ６の上部に設けた検知孔９８を、発光側部分９８ａの平面形状を四角形（正方形）に受光側部分９８ｂの平面形状を三角形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第９実施例では、検知孔９８の上記形状により、原稿給紙方向に直交する方向の両側からの周囲光、および、原稿給紙方向の後ろ側からの周囲光の影響を有効に防止することができる。
【００８２】
図１３は、原稿テーブル２の原稿検知センサ６に対する外乱光防止構成の第１０実施例を示す模式図である。図３の第１実施例とは基本的な構成は同じであるため、重複する説明は省略し、異なる部分について説明する。
【００８３】
図１３（ａ）の平面図から分かるように、検知孔１０８は、発光側部分１０８ａと受光側部分１０８ｂとで平面形状が異なっており、本第１０実施例では、発光側部分１０８ａの平面形状は四角形（正方形）であり、受光側部分１０８ｂの平面形状は楔形となっている。受光側部分１０８ｂの楔形は、先端を受光側に向けた形状（本例では、一辺を発光側に向け、頂点を反対側に向けた直角三角形）となっている。また、図１３（ｂ）に示すように受光側部分１０８ｂの上方には第１実施例と同じく遮光部５が設けられている。
【００８４】
このように、原稿検知センサ６の上部に設けた検知孔１０８を、発光側部分１０８ａの平面形状を四角形（正方形）に受光側部分１０８ｂの平面形状を楔形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１０実施例では、検知孔１０８の上記形状により、原稿給紙方向に直交する方向の両側からの周囲光が原稿給紙方向の後ろ側からの周囲光よりも強い場合における周囲光の影響を有効に防止することができる。
【００８５】
図１４は、原稿テーブル２の原稿検知センサ６に対する外乱光防止構成の第１１実施例を示す模式図である。図３の第１実施例とは基本的な構成は同じであるため、重複する説明は省略し、異なる部分について説明する。
【００８６】
図１４（ａ）の平面図から分かるように、検知孔１１８は、発光側部分１１８ａと受光側部分１１８ｂとで平面形状が異なって（本第１１実施例では大きさが異なって）おり、発光側部分１１８ａの平面形状は四角形（正方形）であり、受光側部分１１８ｂの平面形状も四角形（正方形）である。平面形状の大きさは発光側部分１１８ａ＞受光側部分１１８ｂである。また、図１４（ｂ）に示すように受光側部分１１８ｂの上方には第１実施例と同じく遮光部５が設けられている。
【００８７】
このように、原稿検知センサ６の上部に設けた検知孔１１８を、発光側部分１１８ａが受光側部分１１８ｂよりも大きくし（平面形状は共に四角形（正方形）である）、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１１実施例では、検知孔１１８の上記形状により、原稿給紙方向に直交する方向の両側と原稿給紙方向の後ろ側の均等な周囲光の影響を有効に防止することができる。
【００８８】
図１５は、原稿テーブル２の原稿検知センサ６に対する外乱光防止構成の第１２実施例を示す模式図である。図３の第１実施例とは基本的な構成は同じであるため、重複する説明は省略し、異なる部分について説明する。
【００８９】
図１５（ａ）の平面図から分かるように、検知孔１２８は、発光側部分１２８ａと受光側部分１２８ｂとで平面形状が異なっており、本第１２実施例では、発光側部分１２８ａの平面形状は四角形（正方形）であり、受光側部分１２８ｂの平面形状は長方形となっている。また、図１５（ｂ）に示すように受光側部分１２８ｂの上方には第１実施例と同じく遮光部５が設けられている。
【００９０】
このように、原稿検知センサ６の上部に設けた検知孔１２８を、発光側部分１２８ａの平面形状を四角形（正方形）に受光側部分１２８ｂの平面形状を長方形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１２実施例では、検知孔１２８の上記形状により、原稿給紙方向に直交する方向の両側からの周囲光が原稿給紙方向の後ろ側からの周囲光よりもやや強い場合における周囲光の影響を有効に防止することができる。
【００９１】
図１６は、原稿テーブル２の原稿検知センサ６に対する外乱光防止構成の第１３実施例を示す模式図である。図３の第１実施例とは基本的な構成は同じであるため、重複する説明は省略し、異なる部分について説明する。
【００９２】
図１６（ａ）の平面図から分かるように、検知孔１３８は、発光側部分１３８ａと受光側部分１３８ｂとで平面形状が異なっており、本第１３実施例では、発光側部分１３８ａの平面形状は四角形（長方形）であり、受光側部分１３８ｂの平面形状は三角形となっている。受光側部分１３８ｂの三角形は、一辺を発光側に向け、頂点を反対側に向けた２等辺三角形となっている（正三角形を含む）。また、図１６（ｂ）に示すように受光側部分１３８ｂの上方には第１実施例と同じく遮光部５が設けられている。
【００９３】
このように、原稿検知センサ６の上部に設けた検知孔１３８を、発光側部分１３８ａの平面形状を四角形（長方形）に受光側部分１３８ｂの平面形状を三角形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１３実施例では、検知孔１３８の上記形状により、原稿給紙方向に直交する方向の両側からの周囲光、および、原稿給紙方向の後ろ側からの周囲光の影響を有効に防止することができる。
【００９４】
図１７は、原稿テーブル２の原稿検知センサ６に対する外乱光防止構成の第１４実施例を示す模式図である。図３の第１実施例とは基本的な構成は同じであるため、重複する説明は省略し、異なる部分について説明する。
【００９５】
図１７（ａ）の平面図から分かるように、検知孔１４８は、発光側部分１４８ａと受光側部分１４８ｂとで平面形状が異なっており、本第１４実施例では、発光側部分１４８ａの平面形状は四角形（長方形）であり、受光側部分１４８ｂの平面形状は楔形となっている。受光側部分１４８ｂの楔形は、一辺を発光側に向け、頂点を反対側に向けた直角三角形となっている。また、図１６（ｂ）に示すように受光側部分１３８ｂの上方には第１実施例と同じく遮光部５が設けられている。
【００９６】
このように、原稿検知センサ６の上部に設けた検知孔１４８を、発光側部分１４８ａの平面形状を四角形（長方形）に受光側部分１４８ｂの平面形状を楔形とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１４実施例では、検知孔１４８の上記形状により、原稿給紙方向に直交する方向の両側からの周囲光が原稿給紙方向の後ろ側からの周囲光よりも強い場合における周囲光の影響を有効に防止することができる。
【００９７】
図１８は、原稿テーブル２の原稿検知センサ６に対する外乱光防止構成の第１５実施例を示す模式図である。図３の第１実施例とは基本的な構成は同じであるため、重複する説明は省略し、異なる部分について説明する。
【００９８】
図１８（ａ）の平面図から分かるように、検知孔１５８は、発光側部分１５８ａと受光側部分１５８ｂとで平面形状が異なっており、本第１５実施例では、発光側部分１５８ａの平面形状は長方形であり、受光側部分１５８ｂの平面形状は四角形（正方形）である。また、図１８（ｂ）に示すように受光側部分１５８ｂの上方には第１実施例と同じく遮光部５が設けられている。
【００９９】
このように、原稿検知センサ６の上部に設けた検知孔１５８を、発光側部分１５８ａの平面形状を長方形に受光側部分１５８ｂの平面形状を四角形（正方形）とし、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１５実施例では、検知孔１５８の上記形状により、原稿給紙方向に直交する方向の両側と原稿給紙方向の後ろ側の均等な周囲光の影響を有効に防止することができる。
【０１００】
図１９は、原稿テーブル２の原稿検知センサ６に対する外乱光防止構成の第１６実施例を示す模式図である。図３の第１実施例とは基本的な構成は同じであるため、重複する説明は省略し、異なる部分について説明する。
【０１０１】
図１９（ａ）の平面図から分かるように、検知孔１６８は、発光側部分１６８ａと受光側部分１６８ｂとで平面形状が異なっており、本第１６実施例では、発光側部分１６８ａの平面形状は長方形であり、受光側部分１６８ｂの平面形状も長方形である。面積は受光側部分１６８ｂが発光側部分１６８ａよりも小さくなっている。また、図１９（ｂ）に示すように受光側部分１６８ｂの上方には第１実施例と同じく遮光部５が設けられている。
【０１０２】
このように、原稿検知センサ６の上部に設けた検知孔１６８を、発光側部分１６８ａの平面形状を長方形に受光側部分１６８ｂの平面形状も長方形とし（ただし、受光側部分１６８ｂの方が面積が小さい）、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１６実施例では、検知孔１６８の上記形状により、原稿給紙方向に直交する方向の両側からの周囲光が原稿給紙方向の後ろ側からの周囲光よりもやや強い場合における周囲光の影響を有効に防止することができる。
【０１０３】
図２０は、原稿テーブル２の原稿検知センサ６に対する外乱光防止構成の第１７実施例を示す模式図である。図３の第１実施例とは基本的な構成は同じであるため、重複する説明は省略し、異なる部分について説明する。
【０１０４】
図２０（ａ）の平面図から分かるように、検知孔１７８は、発光側部分１７８ａと受光側部分１７８ｂとで平面形状が異なっており、本第１７実施例では受光側部分１７８ｂが発光側部分１７８ａよりも小さく（平面形状は共に略円形であるが、受光側部分１７８ｂの方が面積が小さく）なっている。また、図２０（ｂ）に示すように受光側部分１７８ｂの上方には第１実施例と同じく遮光部５が設けられている。
【０１０５】
このように、原稿検知センサ６の上部に設けた検知孔１７８を、発光側部分１７８ａの平面形状及び受光側部分１７８ｂの平面形状を共に略円形とし（ただし、受光側部分１７８ｂが発光側部分１７８ａよりも小さい）、さらに、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。特に本第１７実施例では、検知孔１７８の上記形状により、原稿給紙方向に直交する方向の両側と原稿給紙方向の後ろ側の円周上からの均等な周囲光の影響を有効に防止することができる。
【０１０６】
図２１は、原稿テーブル２の原稿検知センサ６に対する外乱光防止構成の第１８実施例を示す模式図である。図３の第１実施例とは基本的な構成は同じであるため、重複する説明は省略し、異なる部分について説明する。
【０１０７】
図２１（ｂ）に示すように、検知孔１８８の発光側端部の壁面は受光側に傾いた斜面となっている。そして、受光側部分１８８ｂの上方には第１実施例と同じく遮光部５が設けられている。なお、図２１（ａ）の平面図に示すように検知孔１８８の平面形状は発光側部分１８８ａを略円形とし、受光側部分１８８ｂを四角形（正方形）としているが、検知孔の平面形状はこれに限らず、上記した第１〜第１７の各実施例の検知孔の平面形状を採用可能である。
【０１０８】
このように、原稿検知センサ６の上部に設けた検知孔１８８を、検知孔１８８の発光側端部の壁面を受光側に傾いた斜面として設けることにより、図２２に示すように、原稿検知センサ６の発光部６ａの光を原稿側へ効率良く照射し、原稿に反射された光をセンサ受光部６ｂで受光することができる。また、検知孔１８８の発光側部分１８８ａと受光側部分１８８ｂとで平面形状が異なっていることと、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。
【０１０９】
図２３は、原稿テーブル２の原稿検知センサ６に対する外乱光防止構成の第１９実施例を示す模式図である。図３の第１実施例とは基本的な構成は同じであるため、重複する説明は省略し、異なる部分について説明する。
【０１１０】
図２３から分かるように、検知孔１８８は図２２の第１８実施例の検知孔と同じであり、検知孔１８８の発光側端部の壁面は受光側に傾いた斜面となっている。ただし、検知孔はこれに限らず、上記した第１〜第１７の各実施例の検知孔を採用可能である。そして、検知孔受光側部分１８８ｂの上方には第１実施例と同じく遮光部５が設けられている。
【０１１１】
さらに、図２３（ｂ）に示すように、原稿検知センサ６６は発光部６６ａ及び受光部６６ｂの側面が傾きを持った斜面として形成されており、傾きを持った発光部６６ａの光を原稿側へ効率良く照射し、原稿に反射された光を傾きを持ったセンサ受光部６６ｂで効率よく受光することができる。
【０１１２】
このように、原稿検知センサ６６の形状により、原稿検知センサ６６の発光部６６ａの光を原稿側へ効率良く照射し、原稿に反射された光をセンサ受光部６６ｂで効率よく受光することができる。また、検知孔１８８の発光側部分１８８ａと受光側部分１８８ｂとで平面形状が異なっていることと、センサ受光部６ｂに対面する側を斜面として形成した遮光部５を設けてセンサ受光部６ｂの上方を覆うことにより、原稿Ｐによって反射されたセンサ光以外の外乱光がセンサ受光部６ｂに受光されることを防止でき、外乱光による原稿検知エラーを効果的に防止することができる。
【０１１３】
以上、本発明を図示例により説明したが、本発明はこれに限定されるものではない。例えば、原稿検知センサの光を通過させる検知孔の平面形状は各実施例の形状に限定されるものではなく適宜変更可能である。また、第１８実施例の原稿検知センサ６６は、他の各実施例における原稿検知センサとしても用いることが可能である。また、センサ受光部上方の遮光部５は各実施例では原稿テーブル２の一部として構成したが、遮光部を原稿テーブルとは別体で（別部材で）構成することもできる。
【０１１４】
さらに、本発明の自動原稿送り装置はシートスルー方式に限らず、コンタクトガラス面上に停止させた原稿を読取手段を走行させながら読み取る方式（原稿停止方式と呼ばれる）の装置にも適用可能である。
【０１１５】
そして、画像形成装置は電子写真方式に限らず、インクジェット方式等、任意の作像方式を採用可能である。また、画像形成装置としてはフルカラー機に限らず、複数色のマルチカラー機やモノクロ装置であってもよい。
【符号の説明】
【０１１６】
１              シートスルー式ＡＤＦ
２              原稿テーブル
６，６６        原稿検知センサ
６ａ，６６ａ    発光部
６ｂ，６６ｂ    受光部
２９            排紙トレイ
１８，２８，３８，４８，５８，６８，７８，８８，９８，１０８  検知孔
１１８，１２８，１３８，１４８，１５８，１６８，１７８，１８８  検知孔
１００          画像形成装置本体
１０１          画像読取部（画像読取装置）
１０２          操作部
Ｐ              原稿
【先行技術文献】
【特許文献】
【０１１７】
【特許文献１】特開２００２−２５１０５６号公報
【特許文献２】特許第３８７７６９９号公報
【特許文献３】特開平１０−２９３３６６号公報
【特許文献４】特開平９−３２９８４８号公報
【特許文献５】特開昭５８−２１５７６号公報
【特許文献６】特開昭６３−１３６４３１号公報
【図１】
0005581814.tif 000002
【図２】
0005581814.tif 000003
【図３】
0005581814.tif 000004
【図４】
0005581814.tif 000005
【図５】
0005581814.tif 000006
【図６】
0005581814.tif 000007
【図７】
0005581814.tif 000008
【図８】
0005581814.tif 000009
【図９】
0005581814.tif 000010
【図１０】
0005581814.tif 000011
【図１１】
0005581814.tif 000012
【図１２】
0005581814.tif 000013
【図１３】
0005581814.tif 000014
【図１４】
0005581814.tif 000015
【図１５】
0005581814.tif 000016
【図１６】
0005581814.tif 000017
【図１７】
0005581814.tif 000018
【図１８】
0005581814.tif 000019
【図１９】
0005581814.tif 000020
【図２０】
0005581814.tif 000021
【図２１】
0005581814.tif 000022
【図２２】
0005581814.tif 000023
【図２３】
0005581814.tif 000024